(57)【要約】  少なくとも１つのレンズ型の光学ユニット４が設けられた、ユーザの鼻に対する通路１３を定める面１０を有し、鼻に対する通路が、面の第１及び第２のいわゆる内部端１４ａ，１４ｂによって定められており、内部端はそれぞれ、面１０の第１及び第２の横方向端１２a、１２ｂに対して回転させる眼鏡１であって、この眼鏡１は、さらに、視覚情報を送信するための要素を備える、視覚情報を送信する送信モジュール２と、変換した視覚情報を光学ユニット４の対象領域６に反射することのできる、変換した視覚情報を反射する幾何学的反射要素３とを備え、送信モジュール２が面１０の第１の内部端１４ａの底部又は上部に配置され、幾何学的反射要素３が第１の内部端１４ａの上部又は底部に配置されており、送信モジュール２が面の第１の内部端１４ａの底部に配置されている場合は、幾何学的反射要素３が第１の内部端１４ａの上部に配置されており、送信モジュール２が面の第１の内部端１４ａの上部に配置されている場合は、幾何学的反射要素３が第１の内部端１４ａの底部に配置されていることを特徴とする。
2020503547.tif 000002
【特許請求の範囲】
【請求項１】
少なくとも１つのレンズ型の光学ユニット（４）が設けられた、ユーザの鼻に対する通路（１３）を定める面（１０）を有し、前記鼻に対する通路が、それぞれ前記面（１０）の第１及び第２の横方向端（１２ａ，１２ｂ）と対向する前記面の第１及び第２のいわゆる内部端（１４ａ，１４ｂ）によって定められた眼鏡（１）で、
表示装置用の視覚情報を送信するための要素を備える、視覚情報を送信する送信モジュール（２）と、
任意に、送信された前記視覚情報の光学的変形を行う、特に前記レンズ型の光学変形要素（５）と、
変形された前記視覚情報を前記レンズ型の光学ユニット（４）の対象領域（６）に反射させることができる、変形された前記視覚情報の幾何学的反射を行うミラー型の幾何学的反射要素（３）とを備えた眼鏡（１）であって、
前記送信モジュール（２）が前記面の第１の内部端（１４ａ）の底部に配置されている場合は、前記幾何学的反射要素（３）が前記第１の内部端（１４ａ）の上部に配置され、前記送信モジュール（２）が前記面の第１の内部端（１４ａ）の上部に配置されている場合は、前記幾何学的反射要素（３）が第１の内部端（１４ａ）の底部に配置されるように構成されており、
前記送信モジュール（２）は前記面（１０）の第１の内部端（１４ａ）の底部又は上部に配置されており、幾何学的反射要素（３）は前記第１の内部端（１４ａ）の上部又は底部に配置されている
ことを特徴とする眼鏡（１）。
【請求項２】
請求項１に記載の眼鏡（１）であって、
前記面（１０）の上に、特に、回転可能に設けられた柄（１１ａ，１１ｂ）を含む
ことを特徴とする眼鏡（１）。
【請求項３】
請求項１又は２に記載の眼鏡（１）であって、
前記面（１０）は、
２つの縁（１５ａ，１５ｂ）と、
前記縁をつなぐブリッジ（１６）とを備え、
前記各縁（１５ａ，１５ｂ）は、特に、前記レンズ型の光学ユニット（４）に対して着脱可能な取付手段を備え、
前記各縁（１５ａ，１５ｂ）は、それぞれが前記面の横方向端の１つ及び前記内部端の１つを形成している横方向端及び内部端を備える
ことを特徴とする眼鏡（１）。
【請求項４】
請求項１に記載の眼鏡（１）であって、
前記面（１０）は１つの光学ユニット（４）を備え、
前記光学ユニットの横方向端は前記面（１０）の横方向端を形成し、
前記柄（１１ａ，１１ｂ）は、直接前記光学ユニット（４）の横方向端上に設けられている
ことを特徴とする眼鏡（１）。
【請求項５】
請求項１から４のいずれか１つに記載の眼鏡（１）であって、
前記対象領域（６）は、好ましくは、前記第１の横方向端（１２ａ）の前記第１の横方向端（１２ａ）の中央部に位置する
ことを特徴とする眼鏡（１）。
【請求項６】
請求項１から５のいずれか１つに記載の眼鏡（１）であって、
前記表示装置用の送信要素（２）の主面は、前記面（１０）の主面に対して傾斜し、特に、実質的に垂直である
ことを特徴とする眼鏡（１）。
【請求項７】
請求項１から６のいずれか１つに記載の眼鏡（１）であって、
前記視覚情報の送信要素は、ＯＬＥＤ表示装置である
ことを特徴とする眼鏡（１）。
【請求項８】
請求項１から７のいずれか１つに記載の眼鏡（１）であって、
頭部の保護ヘルメット（１９）に固定して、又は、回転可能に一体化されている
ことを特徴とする眼鏡（１）。
【請求項９】
請求項１から８のいずれか１つに記載の眼鏡（１）であって、
前記光学変形要素（５）は、前記幾何学的反射要素（３）の一部である
ことを特徴とする眼鏡（１）。
【請求項１０】
請求項１から９のいずれか１つに記載の眼鏡（１）であって、
前記幾何学的反射要素（３）は、平面又は非球面の表面を有するミラーである
ことを特徴とする眼鏡（１）。
【請求項１１】
請求項１から１０のいずれか１つに記載の眼鏡（１）であって、
周囲の明るさを検出し、環境の前記周囲の明るさに応じてリアルタイムで表示装置の輝度を制御するよう構成された電子システムを備えている
ことを特徴とする眼鏡（１）。
【請求項１２】
請求項１から１１のいずれか１つに記載の眼鏡（１）であって、
光学ブロック（２１）を備えており、
前記光学ブロックは、特に、前記送信モジュール（２）、及び／又は、前記光学変形要素、及び／又は、前記幾何学的反射要素に対して着脱可能な保持手段を備え、
前記光学ユニット（４）には、前記光学ユニットに対して前記光学ブロックの位置決めをすることができる位置決め手段（３０，３１）が設けられている
ことを特徴とする眼鏡（１）。
【請求項１３】
請求項１２に記載の眼鏡（１）であって、
前記位置決め手段は、前記光学ユニット（４）と一体化、特に一体成形された、少なくとも１つの位置決め要素（３０，３１）を備えており、
前記位置決め要素は前記光学ブロック（２１）と、特に、鎌継ぎ接続又は弾性スナップロック接続によって、協働することができる
ことを特徴とする眼鏡（１）。
【請求項１４】
請求項１２に記載の眼鏡（１）であって、
前記光学ブロック（２１）は、前記光学ユニット（４）と一体化、特に一体成形されている
ことを特徴とする眼鏡（１）。
【請求項１５】
請求項３から１４のいずれか１つに記載の眼鏡に用いられるフレームであって、
２つの縁（１５）と、
前記縁を接続するブリッジ（１６）とを備え、
前記各縁は、特に、レンズ型の光学ユニットに対して着脱可能な取付手段を備えており、
前記フレームは、さらに、
表示装置用の情報送信要素を備える視覚情報送信モジュール（２）と、
前記送信した視覚情報の光学的変形のための、特にレンズ型の光学変形要素（５）と、
レンズの対象領域に変形視覚情報を送信することができる、前記変形視覚情報の幾何学的反射のためのミラー型の幾何学的反射要素（３）とを備え、
前記送信モジュールは、第１の縁の内部端の底部に設けられており、
前記幾何学的反射要素は、前記第１の縁の前記内部端の上部に設けられており、
前記対象領域は、前記第１の縁の横方向端の中央部に位置しており、
前記表示装置用の送信要素の主面は、実質的に、前記第１の縁の主面に垂直である
ことを特徴とするフレーム。
【請求項１６】
請求項１５に記載のフレームにおいて、
前記ブリッジ（１６）は、光学ブロック（２１）が取り付けられるブリッジモジュール（４０）の一部を形成している
ことを特徴とするフレーム。
【請求項１７】
請求項１６に記載のフレームにおいて、
前記ブリッジモジュール（４０）は、電気接続ソケット（４２）を備える
ことを特徴とするフレーム。
【請求項１８】
視覚情報をユーザに送信するために、及び／又は、
特に、倉庫、生産施設、包装工場、研究所、病院、地上車両の運転室特に配達車両若しくは緊急車両の運転室、船舶若しくは飛行機の運転室における作業若しくは活動を実行中、又は、
特に、ランニング、自転車、スキー、スノーボード、若しくは、スキューバダイビングの運動活動中
のユーザをガイドするために上記眼鏡を使用する
ことを特徴とする請求項１から１４のいずれか１つに記載の眼鏡の使用方法。
【発明の詳細な説明】
【技術分野】
【０００１】
本発明は、光学システムの分野に関するものであり、特に、ヘルメットや一対の眼鏡（「接続型の眼鏡」と称する）と一体化された光学表示システムに関する。
【背景技術】
【０００２】
Ｏｃｕｌｕｓ  Ｒｉｆｔ（登録商標）のような「バーチャルリアリティ」の鑑賞を可能にする頭部装着型表示装置の様々なモデルが市場で知られている。このような表示装置のモデルは嵩張り、また、外界の様子を同時に見ることができない。また、外界の現実を同時に見ることができる、いわゆる「ヘッドアップディスプレイ」を備えたヘルメットも知られている。また、いわゆる「光学表示システムを備える接続型の眼鏡」も知られている。これらの装置の光学的な原理は、非特許文献１に示されている。多くの特許文献には、異なる構成が提案されている。
【０００３】
これらの眼鏡は、一般的には、かなり嵩張り、重い。また、通常の使用には不適切な特定の対象物である。これらの眼鏡の意匠は、矯正用レンズを備える眼鏡、サングラス等の通常の眼鏡とは大きく異なっている。一例として、特許文献１及び特許文献２には、表示システムを鼻柱にかけて水平に配置することを提案している。この配置は、通常の眼鏡とは異なるものである。柄の中に導波管を備える眼鏡が、特許文献３に記載されており、この眼鏡は、眼鏡レンズから光を抽出するために１組のプリズムを使用することが必要であるが、これにより、視界の透明感を低下させることとなる。
【０００４】
数多くの文献に、フレームが、通常の見るための眼鏡とさらに類似している眼鏡と一体化されている表示装置が記載されている。
【０００５】
特許文献４は、鼻にフレームをかけるための２つのパッドのそれぞれにマイクロスクリーンを一体化することを提案しており、それぞれのマイクロスクリーンが、非常に特殊な曲線を持つ眼鏡レンズの内部（後部）ジオプトリ（diopter） によって、画像を眼鏡をかけている人の目に投影するものである。
【０００６】
特許文献５には、一対の眼鏡の柄に配置された表示装置が画像を眼鏡のパッドの１つに取り付けられた第１のミラーに送り、その後、眼鏡レンズに取り付けられた第２のミラーに送り、第２のミラーから画像をユーザの目に投影するシステムが記載されている。第２のミラーはパッドにより近く、眼鏡レンズの中央からは離れていることによって、システムからの画像を見るためには、大きく目を動かす必要がある。
【０００７】
特許文献６には、眼鏡レンズの面に垂直な放射面を持つ眼鏡レンズの上部に取り付けられた表示装置を備え、画像を眼鏡レンズの底部のミラーに送り、そこから画像がユーザの目に映し出されるシステムが記載されている。具体的な例は提示されておらず、この眼鏡レンズの上部端の表示装置はかなり嵩張るものであると考えられる。また、このシステムは画像が常に眼鏡レンズの周囲部に見えるため、周囲のはっきりとした視界を遮る目の動きが必要となるという不具合がある。
【先行技術文献】
【特許文献】
【０００８】
【特許文献１】国際公開第２０１６／１３５７２７号公報
【特許文献２】米国特許出願公開第２００９／０２３１７１１号公報
【特許文献３】国際公開第２０１５／０７５２０６号公報
【特許文献４】仏国特許第３０１７９６６号公報
【特許文献５】米国特許出願公開第２００３／０１８４８６８号公報
【特許文献６】米国特許第６３９４６０１号公報
【非特許文献１】“Head-WornDisplays: A Review" by O. Cakmakciand J. Rolland, published in 2006 in the Journalof Display Technology 2 （3）， pages 199-216
【発明の概要】
【発明が解決しようとする課題】
【０００９】
本発明の課題は、表示を可能にする光学システムが、一対の通常の眼鏡、特に一対のスポーツ眼鏡における通常の特徴（サイズ、コンパクトさ、軽さ、レンズのカーブ、フレーム、設計）を最適にしつつ、表示機能を確実にする光学システムが占めるスペースが小さくなるように設計され、周囲の視界を妨げないように設計された眼鏡システムを提供することにある。
【課題を解決するための手段】
【００１０】
本発明は、ユーザの鼻に対する通路（パッセージ）が定める面及びユーザの頭部に取り付けるための取付手段を有する、少なくとも１つの眼鏡レンズ型の光学ユニットを備える「一対の眼鏡」に基づくものである。光学ユニットは、前方ジオプトリ（又は、前面から見た場合「外部ジオプトリ」）及び後方ジオプトリ（又は、ユーザの顔に向かう方向においては「内部ジオプトリ」）を有する。取付手段は、眼鏡の柄やその他の適切な手段であってもよい。
【００１１】
本発明によると、上記の目的は、少なくとも１つのレンズ型の光学ユニットが設けられた、ユーザの鼻に対する通路が定める面を有し、鼻に対する通路がこの面の第１及び第２のいわゆる内部端によって定められる眼鏡によって達成され、
前記眼鏡は、
表示装置用の視覚情報を送信するための要素を備える、視覚情報を送信するモジュールと、
任意に、送信された視覚情報の光学的変形のための、特に前記レンズ型の要素と、
前記変形された視覚情報を前記レンズ型の光学ユニットの対象領域に反射させることができる前記変形された視覚情報の幾何学的反射のためのミラー型の要素とを備え、
前記送信モジュールが前記面の第１の内部端の底部に配置されている場合は、前記幾何学的反射要素が第１の内部端の上部に配置されており、前記送信モジュールが前記面の第１の内部端の上部に配置されている場合は、前記幾何学的反射要素が第１の内部端の底部に配置されていると理解に基づいて、前記送信モジュールは、幾何学的反射要素が前記第１の内部端の上部又は底部に配置されている一方で、前記面の第１の内部端の底部又は上部に配置されている。
【００１２】
一般的に、前記面の第１及び第２の内部端は、それぞれ前記面の第１及び第２の横方向端に向けられる。
【００１３】
ある実施形態において、前記眼鏡は前記面（例えば、前記面の第１及び第２の横方向端）上に、特に、回転可能に設けられた柄を備える。他の実施形態において、前記眼鏡と前記柄は、前記頭部を保護するヘルメット内、特に、認定された自転車用ヘルメット、又は、認定された自動二輪車用ヘルメット内に、固定して、又は、回転可能に一体化されている。
【００１４】
前記表示装置用の送信要素の主面は、前記面の主面に対して傾斜していると有利である（特に、実質的に垂直である）。
【００１５】
本発明は、前記送信モジュール及び／又は前記幾何学的反射要素を位置づけるために鼻の継ぎ目近くの使用可能なスペースを利用している。より詳しくは、これらの２つの装置の一方又は他方（つまり、前記送信モジュール又は前記幾何学的反射要素）は眉毛より下方で鼻骨の近くに位置していてもよく、他方は下側の涙点の近くに位置してもよい。このような前記送信モジュール及び前記幾何学的反射要素の配置により、眼鏡のかさばりやユーザにとっての妨げが最小限となるようにすることができる。また、このような配置によって、十分に広い範囲の高画質の画像の投影が促進され、直視による視界が前記送信モジュールや前記幾何学的反射要素によって妨げられることを防ぐことができる。
【００１６】
前記対象領域は、前記光学ユニットの後方ジオプトリ上に位置する。好ましくは、前記第１の横方向端の中央部に位置することで、目の直視による視界が前記表示装置によって妨げられることを防ぐことができる。
【００１７】
ある実施形態において、前記面は、２つの縁と前記縁をつなぐブリッジとを備え、前記各縁は、特に、前記レンズ型の光学ユニットに着脱可能な取付手段を備え、前記各縁は、横方向端及び内部端を備え、それぞれ前記面の前記横方向端の一方及び前記内部端の一方を形成している。前記ブリッジによって接続された前記縁は、従来の種類の眼鏡フレームを形成してもよい。
【００１８】
第１の変形例（変形例１）において、前記送信モジュール及び／又は前記幾何学的反射要素は、前記縁上に設けられている。
【００１９】
第２の変形例（変形例２）において、前記送信モジュール及び／又は前記幾何学的反射要素は、前記縁上に設けられているが、前記レンズに直接取り付けられている。
【００２０】
第３の変形例（変形例３）は前記変形例１又は２と組み合わせることができ、変形例３において、前記フレームは、レンズ型の光学ユニットにおいて各縁を受容するよう設計されている。
【００２１】
第４の変形例（変形例４）は前記変形例１又は２と組み合わせることができ、変形例４において、前記フレームは、前記２つの縁の上に延びる１つの光学ユニットを保持するよう設計されている。
【００２２】
第５の変形例（変形例５）は前記変形例１又は２と組み合わせることができ、変形例５において、前記柄及び／又は前記ブリッジは、前記光学ユニット上に直接設けられている。
【００２３】
他の実施形態において、前記面は光学ユニットを備え、前記光学ユニットの横方向端は前記面の横方向端を形成し、前記縁は前記光学ユニットの横方向端上に直接設けられている。
【００２４】
特に、前記送信モジュールは、前記縁上、前記面の第１の端部の底部、又は、直接前記レンズ型の光学ユニット上に設けられていてもよい。同様に、前記幾何学的反射要素は、前記縁上、前記面の第１の端部の底部、又は、直接前記レンズ型の光学ユニット上に設けられていてもよい。ある実施形態において、前記送信モジュール及び前記幾何学的反射要素は、両方が前記縁上に設けられていてもよく、一方が前記底部に設けられ他方が前記上部に設けられていてもよい（第１の変形例において、前記送信モジュールは前記上部に設けられ、第２の変形例において、前記送信モジュールは前記底部に設けられている）。他の実施形態において、前記送信モジュール及び前記幾何学的反射要素は、両方が前記レンズ型の光学ユニット上に（公知の組立技術によって）設けられていてもよく、一方が前記底部に設けられ他方が前記上部に設けられていてもよい（第１の変形例において、前記送信モジュールは前記上部に設けられ、第２の変形例において、前記送信モジュールは前記底部に設けられている）。他の実施形態において、前記幾何学的反射要素が前記レンズ型の光学ユニット上に設けられている一方で前記送信モジュールは前記縁上に設けられており、前記送信モジュール及び前記幾何学的反射要素のうち一方は前記上部に設けられ、他方は前記底部に設けられている（第１の変形例において、前記送信モジュールは前記上部に設けられ、第２の変形例において、前記送信モジュールは前記底部に設けられている）。さらに他の実施形態において、前記幾何学的反射要素が前記縁上に設けられている一方で前記送信モジュールは前記レンズ型の光学ユニット上に設けられており、前記送信モジュール及び前記幾何学的反射要素のうち一方は前記上部に設けられ、他方は前記底部に設けられている（第１の変形例において、前記送信モジュールは前記上部に設けられ、第２の変形例において、前記送信モジュールは前記底部に設けられている）。
【００２５】
本発明の有利な構成によると、前記ブリッジは、前記光学ブロックが取り付けられるブリッジモジュールの一部を形成している。前記ブリッジモジュールは、電気接続ソケットを備えていると有利である。また、前記フレームは、送信した前記視覚情報を光学的に変形される、特に、レンズ型の要素を備えていてもよく、多数の、例えば２つのこのような要素を使用することができる。
【００２６】
本発明の有利な特徴によると、前記眼鏡は、また光学ブロックを備えており、前記光学ブロックは保持手段、特に、前記送信モジュール及び／又は前記光学変形要素及び／又は前記幾何学的反射要素に対して着脱可能な保持手段を備えており、前記光学ユニットには、前記光学ブロックを前記光学ユニットに対して位置決めをすることができる位置決め手段が設けられている。
【００２７】
第１の実施形態において、前記位置決め手段は、前記光学ユニットと一体化、特に、一体成形された、少なくとも１つの位置決め要素を備えており、特に、鎌継ぎ接続、又は、弾性スナップロック接続によって、前記光学ブロックと協働することができる。
【００２８】
他の実施形態において、前記光学ブロックは、前記光学ユニットと一体化、特に、一体成形されている。
【００２９】
本発明の他の対象は、本発明に係る眼鏡に属するフレームであり、前記フレームは２つの縁と前記縁を接続するブリッジを備え、前記各縁は、レンズ型の光学ユニットに対する、特に、着脱可能な取付手段を備えており、前記フレームは、
表示装置用情報送信要素と、前記送信視覚情報の光学的変形のための、特に、レンズ型の要素とを備える視覚情報送信モジュールと、
前記レンズの対象領域に前記変形視覚情報を送信することができる、前記変形された視覚情報の幾何学的反射のためのミラー型の要素とを備え、
前記送信モジュールが前記フレームの前記第１の内部端の底部に設けられている場合は、前記幾何学的反射要素は第１の内部端の上部に設けられており、前記送信モジュールが前記フレームの前記第１の内部端の上部に設けられている場合は、前記幾何学的反射要素は第１の内部端の底部に設けられているという理解に基づいて、前記幾何学的反射要素が前記第１の内部要素の上部又は底部に設けられている一方で、前記送信モジュールは、前記フレームの第１の内部端の底部又は上部に設けられている。
【００３０】
前記対象領域は、前記第１の縁の横方向端の中央部に位置していると有利である。前記表示装置用の送信要素の主面は、実質的に、前記第１の縁の主面に垂直である。
【００３１】
前記スクリーン（前記レンズ型の光学ユニットによって示される）の全域によって、瞳孔の複数の位置を覆うことができるようになると有利である。
【００３２】
前記視覚情報送信モジュールによって与えられた画像は、単色又は多色であってもよい。
【００３３】
前記その他の実施形態及び変形例の全てと組み合わせることが可能な実施形態において、前記眼鏡は、周囲の明るさを検出する電子システムであって、その環境の周囲の明るさに応じてリアルタイムで表示装置の輝度を制御するよう構成された電子システムを備えている。
【００３４】
前記その他の実施形態及び変形例の全てと組み合わせることが可能なその他の実施形態において、前記幾何学的反射要素は、好ましくは、前記表示装置とレンズ型の光学ユニットの表面との間の一定の角度を維持しながら数μｍ単位のミラーの移動を可能にする制御部によって、可調節支持部上に設けられている。
【００３５】
上記の実施形態に対する変形例として（又は、あまり好ましくはないが、上記の実施形態の補足として）、焦点とジオプトリを調整することができるよう表示装置の移動を可能にする制御部によって、（好ましくは、視覚情報の光学的変形のための要素を備えた）可調節支持部上に設けられているのは（好ましくは、視覚情報の光学的変形のための要素を備えた）前記表示装置である。これにより、近視や遠視のようなユーザの特定の視覚的弱点を少なくとも部分的に補うことできる。
【００３６】
概して、本発明の文脈において、
前記視覚情報の光学的変形のための要素は、少なくとも１つの、好ましくは、非球面のレンズを有していると有利であり、これにより歪みを抑制でき、
眼鏡があまり嵩張らず、前記支持部と一体化しやすいため、角のない形状が好ましいという理解に基づいて、前記幾何学的反射要素は、少なくとも１つのミラーを有し、前記ミラーは、特に、平面ミラー又は凸面ミラーであってもよく、円形、楕円形、横長、長方形、又は、正方形の（好ましくは、縁が丸くなった）形状であってもよく、
前記視覚情報送信モジュールは、好ましくは、ＯＬＥＤ表示装置であり、モノクロ又はカラー表示装置であってもよい。特に、グルノーブルのＭｉｃｒｏｏｌｅｄ（登録商標）社によって販売されているマイクロディスプレイを使用することができる。
【００３７】
前記幾何学的反射要素を備える前記送信モジュールは、ユーザの利き目に合わせて眼鏡の左部又は右部に同じように配置されてもよい。
【００３８】
本発明の文脈において、前記の機能性（及び、他にも、耐スクラッチ性、くもり止め性能、偏向性、半反射面性能等の機能）が、使用される前記「レンズ」材料に固有のものであってもよく、及び／又は、１つ以上の適切な表面塗料によって得られるものであってもよいという理解に基づいて、「レンズ型の光学ユニット」中の「レンズ」は「眼鏡レンズ」として理解されるべきであり、特定の材料を指すものではない。実際には、前記「レンズ」は、いわゆる有機ガラス、例えば、アクリルジグリコールカーボネート（「ＣＲ−３９」の略語で知られる樹脂）等のポリカーボネート、プラスチックフィルム、ミネラルガラスのような適切な材料からなるものであってよく、光学補正をするものであっても光学補正をしないものであってもよく、及び／又は、可視光スペクトルの少なくとも一部を吸収するものであっても吸収しないものでもよく（サングラス）、色付きであっても色付きでなくてもよい。実際には、本発明の文脈において使用されるレンズ型の光学ユニットは、アイウエアの分野における従来のタイプの光学ユニットであってもよい。
【００３９】
本明細書では、「眼鏡」は複数形であるが、（図面に示されるように）１つの対象物、又は、複数形で表す１つの対象物であり、前記「眼鏡」という語は「一対の眼鏡」という表現から派生したものである。
【図面の簡単な説明】
【００４０】
【図１】図１は、自転車型のヘルメットに一体化された、本発明の眼鏡の実施形態を示す正面図である。
【図２】図２は本発明の眼鏡の他の実施形態を示す図であり、図２（ａ）及び図２（ｃ）が内側から見た図、図２（ｂ）が正面図、図２（ｄ）が内側から見た斜視図である。
【図３】図３は、ミラーの２つの異なる傾斜に対する、本発明の眼鏡の表示システムの２Ｄの幾何学的な光の集合を簡単に示す図（図３（ａ）及び図３（ｂ））である。
【図４】図４は本発明の眼鏡の表示システムの３Ｄの幾何学的な光の集合を簡単に示す異なる２つの図（図４（ａ）及び図４（ｂ））である。
【図５】図５は２つのレンズを備える実施形態をそれぞれ示す２つの異なる簡略図（図５（ａ）及び図５（ｂ））である。
【図６】図６は図２の眼鏡を示す図であって、３つの異なる対象領域が縦方向（図６（ａ））又は横方向（図６（ｂ））に移動した様子を示す図である。
【図７】図７は内側から見た本発明の他の実施形態の概略図である。
【図８】図８は本発明の実施形態に係る眼鏡によって得られる瞳孔に投影された二次格子を示す図（図８（ａ）、図８（ｂ）及び図８（ｃ））である。
【図９】図９は３００×３５６ピクセル（有効表面：３．１ｍｍ×３．６ｍｍ）の寸法を有するＯＬＥＤ表示装置を備える、本発明の表示システムによって得られる眼鏡用の情報表示装置の一例を示す図である。
【図１０】図１０は本発明の特定の実施形態に係る眼鏡レンズ型の光学ユニットの一例を示す図である。
【図１１】図１１は眼鏡レンズ型の光学ユニットに取り付けられた、本発明の特定の実施形態に係るミラー及び（縦軸に従った断面図において）表示装置とレンズを収容するハウジングを示す図である。
【図１２】図１２は本発明に係る光学モジュールの２つの図であり、図１２（ａ）は縦断面図を示し、図１２（ｂ）はキャップの斜視図を示す。
【図１３】図１３はブリッジモジュールが光学ブロックを一体化する他の実施形態の斜視図である。
【図１４】図１４は光学モジュールを一体化するブリッジモジュールの２つの図であり、図１４（ａ）はブリッジコネクタ上の着脱可能な鼻支持部を備えるモジュールを示し、図１４（ｂ）は鼻支持部を備えていないモジュールを示す。
【図１５】図１５は、接続されたケーブルコネクタを備える図１４（ｂ）のブリッジモジュールを示す図である。
【発明を実施するための形態】
【００４１】
以下、本発明を、発明の内容を限定しない例としての図１〜図１５を参照して説明する。
【００４２】
以下、本発明の実施形態を、特に、図面に基づいてより詳細に説明する。
【００４３】
図１は、自転車型ヘルメット１９に一体化された、本発明の眼鏡１の実施形態を示す正面図である。眼鏡レンズ型の光学ユニット４は鼻に対する通路１３を有しており、そのため、自動二輪車用ヘルメット型の庇付ヘルメットにおける庇よりも面に近い。目７に対して光学ユニット４と近いことで、嵩張らず、妨げとならないコンパクトな表示システムが必要となる。本実施の形態において、幾何学的反射要素３はミラーであって、装着者の眉毛と鼻の近くの光学ユニット４の上部で取付手段９によって光学ユニット４に取り付けられる。送信モジュール２は、鼻の近くの光学ユニット４の底部で取付手段２０によって光学ユニット４に取り付けられる。光学変形要素５は、送信モジュール２から幾何学的反射要素３に導く光路にある。光学ユニット４の内部ジオプトリ上に画像が投影され、ユーザの目に反射される。
【００４４】
本実施形態において、光学ユニット４は、ヘルメット１９に直接取り付けられている。取付手段は、ヘルメットの下部に設けられ、光学ユニットの上端が、長さ全体に亘って挿入された溝、又は、（欧州共同体意匠第１７５９５５−０００１号公報に示すヘルメットにあるように）各側に設けられた、上向きの回転によって開くことができるよう光学ユニット４をヘルメット１９に回転可能に接続するヒンジであってもよい。
【００４５】
図２（ａ）、図２（ｂ）、図２（ｃ）及び図２（ｄ）は、一対の通常の眼鏡に基づく他の実施形態を示す。図２（ａ）は後方（例えば、ユーザの視点）から見た図であり、図２（ｂ）は正面図であり、図２（ｄ）は後方からの斜視図であり、図２（ｃ）は、図２（ａ）と同様であるが、送信された視覚情報を示す画像の光路を示す矢印と視覚情報がレンズに代表される光学ユニット４の内側に視覚情報が投影される対象領域６を示すグレーの領域とを有している。
【００４６】
図２（ｂ）に示すように、眼鏡は、装着者の鼻に対する通路１３を規定するブリッジ１６よって接続された２つの縁１５ａ，１５ｂを備えている。縁１５ａ，１５ｂは、それぞれ、装着者の頭部に取り付けるための眼鏡１の取付手段１１ａ，１１ｂ、ここでは眼鏡の柄を備えている。
【００４７】
より具体的には、縁１５ａ，１５ｂは、それぞれ、横方向端１８ａ，１８ｂと、内部端１７ａ，１７ｂ、縁１５ａ，１５ｂの第１及び第２の横方向端１８ａ，１８ｂ上に設けられた柄１１ａ，１１ｂとを備えている。縁１５ａ，１５ｂは、それぞれ、レンズ型の光学ユニット４ａ，４ｂを備える。縁１５ａ，１５ｂ及びレンズ型の光学ユニット４ａ，４ｂは眼鏡１の面１０を形成する。
【００４８】
本発明によると、眼鏡１は、送信モジュール２と視覚情報の幾何学的反射のための要素とを備え、この幾何学的反射要素はミラーであってもよい。送信モジュール２によって送信される視覚情報（以下、「画像」とも称する）は、光学変形要素５によって光学変形される。特にここでは、光学変形要素５とは視覚情報が幾何学的反射要素３に到達する前に通過するレンズである。画像は、眼鏡型の光学ユニット４ａの内側面に投影され、この内側面から眼鏡の装着者の目７に反射される。光学変形要素５は、一方で画像の拡大を可能にし、また、他方では、眼鏡レンズ４ａの内側面への反射の後に光学的な歪みを修正することを可能にする。光学変形要素５はレンズ（若しくは、送信モジュール２と幾何学的反射要素３との間に位置する複数のレンズ）であってもよいし、又は、幾何学的反射要素３に一体化されていてもよく、この幾何学的反射要素３は非球面ミラーであってもよい。
【００４９】
この幾何学的反射要素３は、取付手段９によって、光学ユニット４ａに取り付けられていてもよい。
【００５０】
送信モジュール２及び光学変形要素５は、同じハウジング又は同じブロック内で一体化されていてもよく、このハウジング又はブロックを以下「光学ブロック」と称し、図２（ｃ）において符号２１で示す。図１２は、キャップ２２が配置された、光学ブロックを示す２つの図、つまり、縦方向断面図（図１２（ａ））及び斜視図（図１２（ｂ））である。本実施形態において、光学ブロック２１は、表示装置２と、機械的スペーサ２３によって別々に設けられた２つの光学レンズ５と機械的位置決め及び保護要素２４に接続されているミラー３とを備える。
【００５１】
図２の実施形態において、送信モジュール２は、面１０の第１の内部端１４ａの底部に設けられており、幾何学的反射要素３は第１の内部端１４ａの上部に設けられている。
【００５２】
眼鏡が縁を備えるフレームを有している場合、縁の内部端１７ａ，１７ｂは、面の内部端１４ａ，１４ｂと一致していてもよく、縁の横方向端１８ａ，１８ｂは、面の横方向端１２ａ，１２ｂと一致していてもよい。柄１１ａ，１１ｂは、面の第１及び第２の横方向端１２ａ，１２ｂ上、又は、縁の第１及び第２の横方向端１８ａ，１８ｂ上に設けられていてもよく、面１０上の他の場所、特に、縁１５ａ，１５ｂ、又は、直接レンズ型の光学ユニット４に取り付けられていてもよい。
【００５３】
視覚情報送信モジュール２を制御する電子部品若しくはカード、及び／又は、送信モジュール２を制御する電子装置及び／又は送信モジュールに供給する電気エネルギー蓄積要素（一般的には、１つ以上の電池（図示せず））は、電子ハウジング８内に、及び／又は、眼鏡の柄１１ａ，１１ｂの一方及び／又は他方の中に収容されていてもよく、フレキシブルケーブル（通常、フレックスと呼ばれる）（図示せず）によって接続されていてもよい。
【００５４】
本明細書に記載の他の実施形態の全てと組み合わせてもよい実施形態において、面１０及び／又はレンズ型の光学ユニット４は、制御装置及び／又は視覚情報送信モジュール２に直接又は電池によって電力を供給する半透明の光電池セルを備える。そのような半透明の光電池セルは従来技術において公知である。
【００５５】
図３は、（光学変形要素５を備える）送信モジュール２及び幾何学的反射要素３の異なる調整に関する本発明の眼鏡の表示システムの２Ｄの幾何学的な光の集合を簡易的及び概略的に示す図である（図３（ａ）及び図３（ｂ））。これらの調整において、視覚情報送信要素２からの入射光学ビームの幾何学的反射要素３に対する衝突点Ｐ１と、光学ユニット４によって反射された光学ビームの起点Ｐ２との間の距離ｄは、一定のままであるのが有利であり、光学ユニット４に対する反射の角度は、一定のままであるのが有利である。図３は、眼鏡の設計の際、又は、光学ユニット４上のポイントＰ２の位置を微調整する際に、送信モジュール２の位置決めの修正が可能であることを示している。これらの調整時に、モジュール２からの画像の焦点を修正することができないよう長さｄ１は大きくは変化しないのが有利である。
【００５６】
図４は、本発明の眼鏡の表示システムの３Ｄの幾何学的な光の集合を簡易的及び概略的に示す異なる２つの図である（図４（ａ）及び図４（ｂ））。図４は、光学変形要素５の役割を示しており、光学変形要素５は、この場合、１つのレンズであるが、ある変形例（図５）においては２つのレンズを有していてもよい。
【００５７】
図５は、本発明に係る眼鏡の部分図（妨げとならないよう柄と縁を省略している）であり、送信モジュール２によって生成された視覚情報の光学変形のための要素は２つの光学レンズ５ａ，５ｂを備えている。図５（ｂ）は、図５（ａ）に対して４５°回転している。
【００５８】
図６は、対象領域６がオフセットされた図２の眼鏡を示している。図６（ａ）では、対象領域６は上方にオフセットされ（対象領域６’）又は下方にオフセットされており（対象領域６’’）、図６（ｂ）では、対象領域６は、横方向に外側に向かって移動し（対象領域６’’’）又は内側に向かって移動している（対象領域６’’’’）。これらの２つの移動を組み合わせる移動を想定することも可能である。対象領域６の光学ユニット４の表面上の位置決めに関する選択は、眼鏡の使用意図に従って決められる。この位置の調整は、工場内で、又は、眼鏡技師によって行われるか、又は、ユーザ自身によって行われる。ある特定の実施形態において、幾何学的反射要素３は、好ましくは、表示装置２とレンズ型の光学ユニット４の表面の間の一定の角度を保ったまま、数μｍ単位の幾何学的反射要素３の移動を可能にする制御部（図示せず）によって調整可能な支持部（図示せず）上に設けられている。
【００５９】
図７は、表示装置２及びミラー３の構成が、図２の実施形態に対して反転されている本発明に係る眼鏡を示している。表示装置２は上部（眉毛の近く）に位置しており、ミラー３は底部に位置している。
【００６０】
本発明に係る眼鏡は、縁を備えて形成されていてもよく、又は、縁を備えずに形成されていてもよく、又は、（例えば、上部のみ若しくは底部のみに）部分的な縁を備えて形成されていてもよい。眼鏡に縁を備えない場合は、図１に示すように、面１０は、レンズ型の光学ユニット４ａ，４ｂによって形成される。図１に示す実施形態のように、ブリッジ１６はあってもなくてもよく、光学ユニット４は、鼻に対する通路１３を規定する１つの部分からなる。同様に、フレームは、装着者の鼻の上で眼鏡を安定させるように、鼻に対する通路１３に近いパッド（図示せず）を有していてもよい。これらのパッドが面１０の一部を形成している。このような型の全ての眼鏡やフレームは公知のものであり、通常のフレーム、又は、少なくとも通常のフレームと美的観点から見て同様なフレームを備えている場合でも実施できることが本発明の特徴（及び効果）である。主な制約としては次のようなものがある。フレーム又は面は、実際には、送信モジュールと幾何学的反射要素とを面の内部端の上部と底部に有することができるようにする必要があり、眼鏡は、一方で電気エネルギー蓄積要素を受容し、他方で送信モジュールの制御のための電子装置を受容するようにする必要がある。これらの目的を達成するため、例えば、特定の形及び／又はサイズの柄１１を選び、エネルギー蓄積要素及び／又は制御装置を受容するハウジングを設けることを可能にし、及び／又は電子ハウジング８を設ける必要がある。
【００６１】
本発明の実現において、多くの変形例が可能である。これらの変形例は、本明細書中に記載した実施形態の全てと組み合わせてもよいし、互いに組み合わせてもよい。
【００６２】
例えば、幾何学的反射要素３の表面に堆積させた光学層及び／又は（二色性の若しくは反射防止性の）眼鏡レンズによって、表示装置の発光波長の機能としての反射率の改善や寄生反射の抑制がされ得る。
【００６３】
本システムのコントラストを上げるためには、レンズの内側表面上の光学層は、レンズの外面上の補色を有する反射層によって、及び／又は、補色を吸収する層によって、及び／又は、補色を吸収するレンズの選択によって補完されてもよい。これにより、レンズ内の寄生反射を減らすことができ、コントラストを上げることができる。同様に、同様の効果を得るために、及び／又は、サングラス機能を追加するために、補色を有するレンズに色をつけることもできる。
【００６４】
レンズの内側及び外側の表面のカーブは、眼鏡の装着者の目の矯正ができるよう調整してもよい。内側の表面は、ディスプレイ（表示装置）によって投影された仮想画像の見え方を修正可能にするものであり、内側及び外側の表面の組み合わせにより、眼鏡の装着者の自然の見え方を修正することができる。
【００６５】
ミラーは、角のない形状であれば、どのような形状であってもよく、特に、円形又は楕円形が好ましく、かさばりを減らし、支持部とよりよく一体的に形成するために画像の反射に十分なフリーな部分を残す。
【００６６】
ミラーとミラーの機械的支持部を備えた表示装置との間に、フレームの支持部に調整可能に取り付けられた焦点を調整する手段を設けることも可能である。これにより、ミラーをねじで締めたり緩めたりすることで、表示装置と眼鏡レンズとの間の同一角度を維持しながら数μｍの単位でミラーを移動させることができる。
【００６７】
（変形例として、又は、上記実施形態の補足として）フレームの支持部に調整可能に取り付けられた、焦点を調整する手段と表示装置の機械的支持部を備えるジオプトリとを備えることも可能である。これにより、（好ましくは、表示装置２としての同じ光学ブロック２１に設けられた光学レンズ５又は複数の光学レンズと同時に）表示装置をねじで締めたり緩めたりすることで、焦点とジオプトリを調整することができるように、表示装置２（及びレンズ）が数μｍ単位で移動され得る。これにより、近視や遠視のようなユーザの特定の視覚的弱点を少なくとも部分的に補うことできる。
【００６８】
表示装置２の輝度を調整可能にするシステムを提供することができる。このシステムは、周囲の明るさを捉える電子システムと関連させてもよく、外部の環境にしたがって、リアルタイムで表示装置の輝度を調整するよう構成してもよい。
【００６９】
ある実施例において、図２に示すように、スポーツ眼鏡フレームのベースカーブ８を使用した。送信モジュール（５３０ｎｍを中心とするスペクトルを有する高輝度の単色ＯＬＥＤマイクロディスプレイ）を第１の内部端の底部に設け、ミラーを第１の内部端の上部に設けた。表示装置２の画像は、補正レンズ（光学レンズ５）を通過し、塗布した表層堆積物に応じて入射光を２０％まで反射する眼鏡レンズ４に対して、平面ミラーによって反射させる。高輝度（２０，０００Ｃｄ／ｍ２まで）で高コントラスト（１：９７０，０００）のマイクロディスプレイによって、屋外環境であっても、表示装置をユーザが十分見ることができる明るさに保つことができる。高コントラストによって、眼鏡レンズ上に表示された要素の外は、かなり暗い背景（０．００３Ｃｄ／ｍ２）を保つことができる。
【００７０】
また、例えば、ベースカーブ６、ベースカーブ７、ベースカーブ９、及びベースカーブ１３、又は他のベースカーブや形状といった他の眼鏡のベースカーブを使用することも可能である。
【００７１】
また、カラーＯＬＥＤ表示装置を使用することも可能である。ある実施形態において、２５６×３００ピクセルを有する３．１ｍｍ×３．６ｍｍの表面と直径１０ｍｍの円形のミラーを備えるカラーＯＬＥＤディスプイを図２及び図６に示す型のスポーツ眼鏡と共に使用した。光学変形要素５として、２つの非球面光学ポリエステル樹脂レンズＯＫＰ４（波長５４６．１ｎｍで光学指数ｎ＝１.６０７）を使用した。図８は二次格子の投影を示すものであり、１０°の合計フィールドを瞳孔の最適点に表示装置によって表示された二次格子の投影（図８（ｂ））と、横方向に−２ｍｍの距離の二次格子の投影（図８（ａ））と、横方向＋２ｍｍの距離の二次格子の投影（図８（ｃ）は、）とを示す。尚、画像は最適位置において、歪みがかなり少なく、位置が±２ｍｍ移動しても殆ど画質が落ちない。このような表示システムは、英数字記号（文字、時間を表す数字の並び等）や画像を表示するのに十分な品質である。本実施形態において、表示装置の中心位置は、水平収束の１６°程度であり、水平から６°ほど上がった位置である。この位置では、視界が表示装置によって遮られることなくユーザには周囲が直接よく見え、スピードや、高度変化、ＧＰＳ座標等（白黒で再現した表示装置の例、図９参照）を示す英数字の並びや図像を理解しやすい。
【００７２】
本願出願人は、本発明の眼鏡において、光学システムの画像レンダリングの質は、光学レンズ５、表示装置２、ミラー３、画像が投影される眼鏡レンズ４の位置決めの正確さに高く依存する。軸や、偏心、光学ブロック上の応力及び数十μｍの変形によって、主に画像の鮮やかさに影響する光学収差が生じることがある。これらの収差によって光線の偏向が起こり、そのため、瞳孔の焦点が偏向する。
【００７３】
この問題を克服するために、３つの特定の実施形態が提案されており、画像レンダリングの質を変える可能性のある外部応力なしで光学ブロック２１のレンズに対する位置決め手段を提供している。組立許容誤差を抑制するために、眼鏡レンズに機械的機能が加えられている。
【００７４】
第１の実施形態において、図１０に示すように、上記の位置決め手段は、眼鏡レンズ４上に直接形成された少なくとも１つの（ストップやリブのような）機械的位置決め要素３０，３１，３２を備え、これにより、光学ブロック２１（選択的にミラー３も含む）の眼鏡レンズ４に対する最適な位置での位置決めと調整を容易にする。
【００７５】
これらの位置決め手段３０，３１は、例えば、レンズ上に成形されて光学ブロック２１を最適位置に保つ不静定ストップの形で、眼鏡レンズ４と一体化されていてもよく、特に、一体成形されていてもよい。この場合、光学ブロック２１は、これらの位置決め要素と協働することができる「雌型」の押し出しを有する。これらの位置決め要素と雌型押し出しの協働は、特に、鎌継ぎ型であっても、弾性スナップロック型であってもよい。この協働によって、光学ブロック２１全体を眼鏡レンズ４に対して十分に正確に保持することが可能になる。同様に、ミラー３を最適位置に保つために、眼鏡レンズ上に直接形成された機械的位置決め要素３２を提供することができる。
【００７６】
第２の実施形態において、図示はしないが、少なくとも１つの基部が、光学ブロック（及び、ミラーも含む場合もある）が（例えば、スナップロックによって）正確に取り付けることができる眼鏡レンズ型の光学ユニットに（一般的に成形によって）一体化されている。
【００７７】
第３の実施形態において、図１１に示すように、光学ブロック２１は直接レンズ型の光学ユニット４と一体化されている。これは、成形によって行われてもよい。ある変形例において、レンズ型の光学ユニット４内でミラーの取付手段９を一体化することができる。これは、成形によって行われてもよい。
【００７８】
特に、表示装置２と（例えば、１つ以上の光学レンズを備える）光学変形要素５とが挿入された光学ブロック２１を製造することができる。この光学ブロック２１は幾何学的反射要素３を取り付けるための基部（図示せず）を備えていてもよい。この光学ブロックは、特に、着脱可能で光学レンズ５及び／又は表示装置２及び／又はミラー３をこのブロックの壁に対して保持することができるようにする保持手段を備えると有利である。これらの保持手段は、適切なものであれば、いかなる保持手段であってもよく、特に、鎌継ぎ型、又は、弾性スナップロック型であってもよい。
【００７９】
これら上記３つの実施形態では、光学要素（表示装置、レンズ、及びミラー）の位置決めを直接眼鏡レンズ上で行うので、それにより機械的部品の調整と保持における制約を克服することができる。このように、これらの要素の位置決めの正確性が確保され、画像レンダリングの質が最適となる。
【００８０】
他の実施形態を多くの変形例と共に図１３〜図１５に示す。本実施形態において、眼鏡のブリッジは光学ブロック２１を一体化する。ここでは、この組立体をブリッジモジュール４０と称する。ブリッジモジュール４０は電子ハウジング８を備える。図１３には、上部に位置するミラー３を示す。ある変形例（図示せず）において、ミラーが底部に位置し、表示装置が上部に位置するよう光学ブロックを反転させる。図１４は、ブリッジモジュール４０の２つの底面図を示す。光学ブロック２１のキャップの下部は、ＯＬＥＤ表示装置２の位置がわかるよう図示されていない。
【００８１】
非常に有利な変形例において、ブリッジモジュールは電気接続ソケット４２を備える。電気接続ソケット４２は図１４（ｂ）に示されている。電気接続ソケット４２は着脱可能な鼻支持部４１によって保護されており、鼻支持部４１は図１４（ａ）に示されている。図１５に示すように、電気接続ソケット４２は、データを表示装置に送信するために、及び／又は、電池を再充電するために、コネクタ４３を受容できるようにしてもよい。電気接続ソケット４２は、ブリッジ上のハウジング４４及び／又は横方向電子ハウジング８内に配置してもよい電子モジュールと通信してもよい（図１３は両者を同時に示す）。
【００８２】
電子モジュールは、電力供給及び／又は電池再充電の管理、又は、（Ｂｌｕｅｔｏｏｔｈ（登録商標）のような）無線通信モジュール機能のうち少なくとも１つを満たすよう構成された、少なくとも１つのマイクロプロセッサを備える。電子モジュールは、近接及び／又は周囲光センサ（及び周囲光のレベルにマイクロディスプレイの輝度を自動的に適応させるように構成することができる）と、１以上の（プッシュボタンのような）制御要素と、（発光ダイオードのような）１以上の信号発生要素と、照明要素とを備えていてもよい。プッシュボタン又は近接センサは、マイクロディスプレイの始動及び停止機能又は他の機能を作動されるよう構成されてもよい。
【００８３】
これまでに記載した実施形態の全てにおいて、鼻に対する支持部２５は、ユーザの形にフィットする支持部を選択することができるよう着脱可能であってもよい。ある変形例において（図示せず）、着脱可能な鼻支持部４１はブリッジモジュール４０の一部である。
【００８４】
本発明の眼鏡は、特に、職業の分野、スポーツの分野、都市生活及び日常生活において、多数の用途を有する。これらの様々な用途には、眼鏡フレームや、レンズの形状、送信モジュール２と幾何学的反射要素３（特に、内部縁に対する上部又は底部の位置における）の正確な配置、対象領域６の配置、光学的調整（投影の見かけ上の距離）を適応させることが必要となる。また、これらの様々な用途には、眼鏡の外部マイクロプロセッサとの、例えば、（例えば、Ｂｌｕｅｔｏｏｔｈ（登録商標）標準による）無線通信によるインターフェイスが必要となる。
【００８５】
職業上の用途においては、本発明の眼鏡１は、生産施設、包装工場、倉庫、物流環境において様々な作業を行う人々によって使用されてもよい。この場合、ユーザに情報を送信すること、及び／又は、作業を実行中のユーザが両手を自由にしたままガイドを行うことに関する。例えば、ユーザが、異なる保管ステーションにあるパッケージを集めるために、倉庫内をカートと共に移動する場合、本発明の眼鏡は、パッケージのコード及び／又は次のステーションの位置を表示してもよい。製造オペレータにとっては、眼鏡は、装着者に対して、作業を行うために従うべき手順や指示、考慮すべき警告メッセージを表示してもよい。
【００８６】
本発明の眼鏡１は、保健施設の医療従事者又は準医療従事者によって、従事者が紙文書や表示スクリーンを扱うために、手を使う必要なく装着者に対して有用な情報（製品リスト、患者情報、分析結果、物理的、化学的又は物理化学的パラメータ、指示）を表示するために使用してもよい。
【００８７】
本発明の眼鏡１は、飛行機を制御するための重要な情報を表示するために航空関係者に使用されてもよい。一例として、この情報は、空中衝突防止装置（ＴＣＡＳ）からのものでもよい。また、本発明の眼鏡１は、緊急介入隊員（消防士、警察官、技術サポート員）によって、視覚的に情報を通知するために使用されてもよい。
【００８８】
本発明の眼鏡１は、運動選手によって（例えば、ランニング、自転車の乗車、スキー、又はスノーボードをしている間に）、観光情報（例えば、スキー休憩所、リフトの終了時間、待ち時間等）をはじめ、方向指示、ＧＰＳデータ等を含む、活動中の装着者に有用な情報、例えば、心拍数、スピード、進んだ距離又は残りの距離、時間管理、海抜、地理的情報、位置特異的情報を表示するために装着されてもよい。ダイビング用マスクに対しては、心拍数情報や時間管理情報以外にも、深度や減圧停止に関する情報を示してもよい。
【００８９】
運動の環境における本発明の眼鏡１の他の用途としては、審判、例えば、主審と副審間での使用がある。
【００９０】
都市生活又は日常生活において、本発明の眼鏡１は、特に、時間管理及び地理的情報、ＧＰＳ情報、気象情報、大気汚染（汚染指数）や観光名所（記念碑、給水所、トイレの使用可能状況）に関する情報を表示するために使用してもよい。また、本発明の眼鏡は、ゲームの環境で、特に、拡張現実（例えば、ポケモン（登録商標）Ｇｏ型のもの）において使用されてもよく、ソーシャルネットワーク（Ｔｗｉｔｔｅｒ（登録商標）、Ｆａｃｅｂｏｏｋ（登録商標）、Ｉｎｓｔａｇｒａｍ（登録商標）、Ｓｎａｐｃｈａｔ（登録商標）、ＷｅＣｈａｔ（登録商標）、ＷｈａｔｓＡｐｐ（登録商標）、Ｌｉｎｅ（登録商標））やＥメールの通知や内容、ＳＭＳ型のメッセージ上の情報を表示するために使用することができる。
【符号の説明】
【００９１】
１  眼鏡
２  表示装置
３  ミラー
４  レンズ型の光学ユニット
５  レンズ
６  対象領域
７  目
８  電子ハウジング
９  ミラー３の取付手段
１０  眼鏡の面
１１  眼鏡１の取付手段
１２  面１０の横方向端
１３  鼻に対する通路
１４  面１０の内部端
１５  縁
１６  ブリッジ
１７  縁１５の内部端
１８  縁１５の横方向端
１９  ヘルメット
２０  表示装置２の取付手段
２２  光学ブロック２１のキャップ
２３  スペーサ
２４  位置決め及び保護要素
２５  鼻支持部
３０，３１，３２  機械的位置決め要素
４０  ブリッジモジュール
４１  着脱可能鼻支持部
４２  ソケット
４３  コネクタ
４４  電子的ハウジング
【図１】
2020503547.tif 000003
【図２】
2020503547.tif 000004
【図３】
2020503547.tif 000005
【図４】
2020503547.tif 000006
【図５】
2020503547.tif 000007
【図６】
2020503547.tif 000008
【図７】
2020503547.tif 000009
【図８】
2020503547.tif 000010
【図９】
2020503547.tif 000011
【図１０】
2020503547.tif 000012
【図１１】
2020503547.tif 000013
【図１２】
2020503547.tif 000014
【図１３】
2020503547.tif 000015
【図１４】
2020503547.tif 000016
【図１５】
2020503547.tif 000017
【国際調査報告】
2020503547.tif 000018
2020503547.tif 000019
2020503547.tif 000020
2020503547.tif 000021
2020503547.tif 000022
2020503547.tif 000023